【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
画像データを取得する取得手段と、
変換後の前記画像データの輝度のダイナミックレンジが、変換前の前記画像データの輝度のダイナミックレンジよりも狭くなるように、変換用パラメータを用いて前記画像データが有する入力輝度信号を画像印刷装置に対応する出力輝度信号に変換するダイナミックレンジ圧縮手段と、
を備える画像処理装置であって、
前記入力輝度信号が入力黒基準輝度値を示す場合、前記出力輝度信号は出力黒基準輝度値を示し、
前記入力輝度信号が所定の基準入力輝度値を示す場合、前記出力輝度信号は基準出力輝度値を示し、
前記基準出力輝度値は、前記所定の基準入力輝度値と、前記画像印刷装置によって印刷される印刷物を観察する際の前記出力黒基準輝度値とに基づいて算出されることを特徴とする画像処理装置。
【請求項２】
前記基準出力輝度値は、前記所定の基準入力輝度値よりも高いことを特徴とする請求項１に記載の画像処理装置。
【請求項３】
前記基準入力輝度値は、撮像デバイスが撮像した際に測光される輝度に対応することを特徴とする請求項１または２に記載の画像処理装置。
【請求項４】
前記基準出力輝度値は、前記基準入力輝度値の、照明を考慮しない場合の出力輝度値を更に用いて算出されることを特徴とする請求項１から３のいずれか１項に記載の画像処理装置。
【請求項５】
前記画像データが有する前記入力輝度信号が入力白基準輝度値を示す場合、前記出力輝度信号は、前記画像印刷装置によって印刷される印刷物を観察するための出力白基準輝度値を示すことを特徴とする請求項１から４のいずれか１項に記載の画像処理装置。
【請求項６】
前記入力白基準輝度値は、前記基準入力輝度値が１８％である場合の最大輝度値であることを特徴とする請求項５に記載の画像処理装置。
【請求項７】
前記変換用パラメータは、前記画像データに含まれる全画素の輝度信号に対するヒストグラムに基づいて生成され、前記変換用パラメータは、前記ヒストグラムにおいて相対的に頻度の高い輝度領域の前記入力輝度信号に対する前記出力輝度信号の傾きが、他の輝度領域の前記傾きよりも大きく、且つ全輝度領域において単調増加となるように、生成されることを特徴とする請求項１から６のいずれか１項に記載の画像処理装置。
【請求項８】
前記画像データの画像領域は複数の分割領域に分割され、前記変換用パラメータは、個々の分割領域について個別に生成されることを特徴とする請求項１から７のいずれか１項に記載の画像処理装置。
【請求項９】
前記画像領域は、前記画像データに含まれる画素が、類似する輝度信号または類似する色情報ごとにグルーピングされることによって、前記複数の分割領域に分割されることを特徴とする請求項８に記載の画像処理装置。
【請求項１０】
前記ダイナミックレンジ圧縮手段は、前記画像データのうち低周波成分の輝度データに対し、前記変換用パラメータを用いて前記入力輝度信号を前記出力輝度信号に変換することを特徴とする請求項１から９のいずれか１項に記載の画像処理装置。
【請求項１１】
前記基準出力輝度値と前記画像データが有する前記出力黒基準輝度値との差は、前記所定の基準入力輝度値と前記画像データが有する前記入力黒基準輝度値との差と同じまたはそれ以上であることを特徴とする請求項１から１０のいずれか１項に記載の画像処理装置。
【請求項１２】
前記ダイナミックレンジ圧縮手段は、前記変換用パラメータを生成することを特徴とする請求項１から１１のいずれか１項に記載の画像処理装置。
【請求項１３】
前記ダイナミックレンジ圧縮手段は、前記画像印刷装置によって印刷する印刷媒体の情報および前記印刷物を観察するための観察環境情報の少なくとも一方に基づいて、前記出力黒基準輝度値および出力白基準輝度値を取得することを特徴とする請求項１から１２のいずれか１項に記載の画像処理装置。
【請求項１４】
前記印刷媒体の情報は、前記画像印刷装置によって印刷される印刷媒体の種類を含み、前記観察環境情報は前記印刷物の観察に用いられる照明の情報を含むことを特徴とする請求項１３に記載の画像処理装置。
【請求項１５】
前記基準出力輝度値は、前記出力黒基準輝度値を前記所定の基準入力輝度値に加算することによって取得されることを特徴とする請求項１から１４のいずれか１項に記載の画像処理装置。
【請求項１６】
前記画像印刷装置は、前記変換後の画像データに従って印刷媒体に画像を印刷することを特徴とする請求項１から１５のいずれか１項に記載の画像処理装置。
【請求項１７】
前記画像印刷装置はインクを吐出するインクジェットプリンタであることを特徴とする請求項１６に記載の画像処理装置。
【請求項１８】
前記取得手段は、撮像デバイスによって撮像された撮像データを取得し、
前記撮像データを現像する現像手段を更に備えることを特徴とする請求項１から１７のいずれか１項に記載の画像処理装置。
【請求項１９】
画像データを取得する取得工程と、
変換後の前記画像データの輝度のダイナミックレンジが、変換前の前記画像データの輝度のダイナミックレンジよりも狭くなるように、変換用パラメータを用いて前記画像データが有する入力輝度信号を画像印刷装置に対応する出力輝度信号に変換するダイナミックレンジ圧縮工程と、
を有する画像処理方法であって、
前記入力輝度信号が入力黒基準輝度値を示す場合、前記出力輝度信号は出力黒基準輝度値を示し、
前記入力輝度信号が所定の基準入力輝度値を示す場合、前記出力輝度信号は基準出力輝度値を示し、
前記基準出力輝度値は、前記所定の基準入力輝度値と、前記画像印刷装置によって印刷される印刷物を観察する際の前記出力黒基準輝度値とに基づいて算出されることを特徴とする画像処理方法。
【請求項２０】
前記基準出力輝度値は、前記所定の基準入力輝度値よりも高いことを特徴とする請求項１９に記載の画像処理方法。
【請求項２１】
前記基準入力輝度値は、撮像デバイスが撮像した際に測光される輝度に対応することを特徴とする請求項１９または２０に記載の画像処理方法。
【請求項２２】
前記基準出力輝度値は、前記基準入力輝度値の、照明を考慮しない場合の出力輝度値を更に用いて算出されることを特徴とする請求項１９から２１のいずれか１項に記載の画像処理方法。
【請求項２３】
前記画像データが有する前記入力輝度信号が入力白基準輝度値を示す場合、前記出力輝度信号は、前記画像印刷装置によって印刷される印刷物を観察するための出力白基準輝度値を示すことを特徴とする請求項１９から２２のいずれか１項に記載の画像処理方法。
【請求項２４】
前記入力白基準輝度値は、前記基準入力輝度値が１８％である場合の最大輝度値であることを特徴とする請求項２３に記載の画像処理方法。
【請求項２５】
前記変換用パラメータは、前記画像データに含まれる全画素の輝度信号に対するヒストグラムに基づいて生成され、前記変換用パラメータは、前記ヒストグラムにおいて相対的に頻度の高い輝度領域の前記入力輝度信号に対する前記出力輝度信号の傾きが、他の輝度領域の前記傾きよりも大きく、且つ全輝度領域において単調増加となるように、生成されることを特徴とする請求項１９から２４のいずれか１項に記載の画像処理方法。
【請求項２６】
前記画像データの画像領域は複数の分割領域に分割され、前記変換用パラメータは、個々の分割領域について個別に生成されることを特徴とする請求項１９から２５のいずれか１項に記載の画像処理方法。
【請求項２７】
前記画像領域は、前記画像データに含まれる画素が、類似する輝度信号または類似する色情報ごとにグルーピングされることによって、前記複数の分割領域に分割されることを特徴とする請求項２６に記載の画像処理方法。
【請求項２８】
前記ダイナミックレンジ圧縮工程は、前記画像データのうち低周波成分の輝度データに対し、前記変換用パラメータを用いて前記入力輝度信号を前記出力輝度信号に変換することを特徴とする請求項１９から２７のいずれか１項に記載の画像処理方法。
【請求項２９】
前記基準出力輝度値と前記画像データが有する前記出力黒基準輝度値との差は、前記所定の基準入力輝度値と前記画像データが有する前記入力黒基準輝度値との差と同じまたはそれ以上であることを特徴とする請求項１９から２８のいずれか１項に記載の画像処理方法。
【請求項３０】
前記ダイナミックレンジ圧縮工程は、前記変換用パラメータを生成することを特徴とする請求項１９から２９のいずれか１項に記載の画像処理方法。
【請求項３１】
前記ダイナミックレンジ圧縮工程は、前記画像印刷装置によって印刷する印刷媒体の情報および前記印刷物を観察するための観察環境情報の少なくとも一方に基づいて、前記出力黒基準輝度値および出力白基準輝度値を取得することを特徴とする請求項１９から３０のいずれか１項に記載の画像処理方法。
【請求項３２】
前記印刷媒体の情報は、前記画像印刷装置によって印刷される印刷媒体の種類を含み、前記観察環境情報は前記印刷物の観察に用いられる照明の情報を含むことを特徴とする請求項３１に記載の画像処理方法。
【請求項３３】
前記基準出力輝度値は、前記出力黒基準輝度値を前記所定の基準入力輝度値に加算することによって取得されることを特徴とする請求項１９から３２のいずれか１項に記載の画像処理方法。
【請求項３４】
前記画像印刷装置は、前記変換後の画像データに従って印刷媒体に画像を印刷することを特徴とする請求項１９から３３のいずれか１項に記載の画像処理方法。
【請求項３５】
前記画像印刷装置はインクを吐出するインクジェットプリンタであることを特徴とする請求項３４に記載の画像処理方法。
【請求項３６】
前記取得工程は、撮像デバイスによって撮像された撮像データを取得し、
前記撮像データを現像する現像工程を更に有することを特徴とする請求項１９から３５のいずれか１項に記載の画像処理方法。
【請求項３７】
請求項１ないし１８のいずれか１項に記載の画像処理装置の各手段としてコンピュータを機能させるためのプログラム。
【手続補正２】
【補正対象書類名】明細書
【補正対象項目名】００１２
【補正方法】変更
【補正の内容】
【００１２】
そのために本発明は、画像データを取得する取得手段と、変換後の前記画像データの輝度のダイナミックレンジが、変換前の前記画像データの輝度のダイナミックレンジよりも狭くなるように、変換用パラメータを用いて前記画像データが有する入力輝度信号を画像印刷装置に対応する出力輝度信号に変換するダイナミックレンジ圧縮手段と、を備える画像処理装置であって、前記入力輝度信号が入力黒基準輝度値を示す場合、前記出力輝度信号は出力黒基準輝度値を示し、前記入力輝度信号が所定の基準入力輝度値を示す場合、前記出力輝度信号は基準出力輝度値を示し、前記基準出力輝度値は、前記所定の基準入力輝度値と、前記画像印刷装置によって印刷される印刷物を観察する際の前記出力黒基準輝度値とに基づいて算出されることを特徴とする。